(57)【要約】【課題】情報記録媒体（１０１）に対して記録または再生を行う記録再生装置を提供すること。【解決手段】記録再生装置（１）は、情報記録媒体（１０１）のデータ記録領域の所定の第１の位置から第１のデータを読み出す手段と、第１のデータが所定の第１のファイルシステムの種類を示す第１の種類情報に一致するか否かを判定する手段と、一致すると判定された場合には、所定の第１のファイルシステムを用いて、記録処理もしくは再生処理を行う手段と、一致しないと判定された場合には、データ記録領域の所定の第２の位置から第２のデータを読み出す手段と、第２のデータが所定の第１のファイルシステムとは異なる所定の第２のファイルシステムの種類を示す第２の種類情報に一致するか否かを判定する手段と、一致すると判定された場合には、所定の第２のファイルシステムを用いて、記録処理もしくは再生処理を行う手段とを備えている。【選択図】図３
2010186536.tif 000002
【特許請求の範囲】
【請求項１】
情報記録媒体に対して記録または再生を行う記録再生装置であって、
前記情報記録媒体のリードイン領域には、前記情報記録媒体において使用されるファイルシステムの種類を示す種類情報が記録されており、
前記記録再生装置は、
前記情報記録媒体の前記リードイン領域から前記種類情報を読み出す手段と、
前記種類情報に応じたファイルシステムを用いて、記録処理もしくは再生処理を行う手段と
を備えた、記録再生装置。
【請求項２】
前記種類情報に応じたファイルシステムを用いて、前記情報記録媒体をフォーマットする手段をさらに備えた、請求項１に記載の記録再生装置。
【請求項３】
前記ファイルシステムに対応するコピープロテクション方式に従って、前記情報記録媒体に記録されるべきデータを暗号化し、もしくは、前記情報記録媒体に記録されている暗号化データを復号化する手段をさらに備えた、請求項１に記載の記録再生装置。
【請求項４】
情報記録媒体に対して記録または再生を行う記録再生方法であって、
前記情報記録媒体のリードイン領域には、前記情報記録媒体において使用されるファイルシステムの種類を示す種類情報が記録されており、
前記記録再生方法は、
前記情報記録媒体の前記リードイン領域から前記種類情報を読み出すステップと、
前記種類情報に応じたファイルシステムを用いて、記録処理もしくは再生処理を行うステップと
を包含する、記録再生方法。
【請求項５】
前記種類情報に応じたファイルシステムを用いて、前記情報記録媒体をフォーマットするステップをさらに包含する、請求項４に記載の記録再生方法。
【請求項６】
前記ファイルシステムに対応するコピープロテクション方式に従って、前記情報記録媒体に記録されるべきデータを暗号化し、もしくは、前記情報記録媒体に記録されている暗号化データを復号化するステップをさらに包含する、請求項４に記載の記録再生方法。
【請求項７】
情報記録媒体に対して記録または再生を行う記録再生装置において用いられるコントローラであって、
前記情報記録媒体のリードイン領域には、前記情報記録媒体において使用されるファイルシステムの種類を示す種類情報が記録されており、
前記コントローラは、
前記情報記録媒体の前記リードイン領域から前記種類情報を読み出すことを指示する手段と、
前記種類情報に応じたファイルシステムを用いて、記録処理もしくは再生処理を行うことを指示する手段と
を備えた、コントローラ。
【請求項８】
前記種類情報に応じたファイルシステムを用いて、前記情報記録媒体をフォーマットすることを指示する手段をさらに備えた、請求項７に記載のコントローラ。
【請求項９】
前記ファイルシステムに対応するコピープロテクション方式に従って、前記情報記録媒体に記録されるべきデータを暗号化し、もしくは、前記情報記録媒体に記録されている暗号化データを復号化する手段をさらに備えた、請求項７に記載のコントローラ。
【請求項１０】
情報記録媒体に対して記録または再生を行う記録再生装置であって、
前記情報記録媒体のデータ記録領域に記録されている暗号化データが所定の第１のコピープロテクション方式に従って暗号化されているか否かを判定する手段と、
前記暗号化データが前記所定の第１のコピープロテクション方式に従って暗号化されていると判定された場合には、前記所定の第１のコピープロテクション方式に従って、記録処理もしくは再生処理を行う手段と、
前記暗号化データが前記所定の第１のコピープロテクション方式に従って暗号化されていないと判定された場合には、前記暗号化データが前記所定の第１のコピープロテクション方式とは異なる所定の第２のコピープロテクション方式に従って暗号化されているか否かを判定する手段と、
前記暗号化データが前記所定の第２のコピープロテクション方式に従って暗号化されていると判定された場合には、前記所定の第２のコピープロテクション方式に従って、記録処理もしくは再生処理を行う手段と
を備えた、記録再生装置。
【請求項１１】
情報記録媒体に対して記録または再生を行う記録再生方法であって、
前記情報記録媒体のデータ記録領域に記録されている暗号化データが所定の第１のコピープロテクション方式に従って暗号化されているか否かを判定するステップと、
前記暗号化データが前記所定の第１のコピープロテクション方式に従って暗号化されていると判定された場合には、前記所定の第１のコピープロテクション方式に従って、記録処理もしくは再生処理を行うステップと、
前記暗号化データが前記所定の第１のコピープロテクション方式に従って暗号化されていないと判定された場合には、前記暗号化データが前記所定の第１のコピープロテクション方式とは異なる所定の第２のコピープロテクション方式に従って暗号化されているか否かを判定するステップと、
前記暗号化データが前記所定の第２のコピープロテクション方式に従って暗号化されていると判定された場合には、前記所定の第２のコピープロテクション方式に従って、記録処理もしくは再生処理を行うステップと
を包含する、記録再生方法。
【請求項１２】
情報記録媒体に対して記録または再生を行う記録再生装置において用いられるコントローラであって、
前記情報記録媒体のデータ記録領域に記録されている暗号化データが所定の第１のコピープロテクション方式に従って暗号化されているか否かを判定する手段と、
前記暗号化データが前記所定の第１のコピープロテクション方式に従って暗号化されていると判定された場合には、前記所定の第１のコピープロテクション方式に従って、記録処理もしくは再生処理を行うことを指示する手段と、
前記暗号化データが前記所定の第１のコピープロテクション方式に従って暗号化されていないと判定された場合には、前記暗号化データが前記所定の第１のコピープロテクション方式とは異なる所定の第２のコピープロテクション方式に従って暗号化されているか否かを判定する手段と、
前記暗号化データが前記所定の第２のコピープロテクション方式に従って暗号化されていると判定された場合には、前記所定の第２のコピープロテクション方式に従って、記録処理もしくは再生処理を行うことを指示する手段と
を備えた、コントローラ。
【発明の詳細な説明】
【技術分野】
【０００１】
本発明は、記録再生装置、記録再生方法およびコントローラに関する。
【背景技術】
【０００２】
従来、情報記録媒体にデータを記録再生する際には、記録再生のルールを取り決めた特定のフォーマット形式で記録することが行われる。
【０００３】
また、データが著作権を有するコンテンツの時には、暗号化等がなされて無断複製が不可能な形で記録される。
【発明の概要】
【発明が解決しようとする課題】
【０００４】
近年、情報記録媒体の要領が増大してきた。
【０００５】
例えば、光ディスクにおいては、６４０ＭＢのＣＤ−Ｒから、４．７ＧＢ容量ＤＶＤ−ＲＡＭ、２５ＧＢ容量のＢｌｕ−ｒａｙディスクと増大してきた。容量の増大にしたがって、コンピュータ用データ、音声データ、映像データなどのどのタイプのデータに対しても用いられるようにばりつつある。
【０００６】
一方、それぞれのデータの記録再生に最適なフォーマット形式があり、記録するデータに応じて最適なフォーマット形式で記録することが要望されている。
【０００７】
また、コピープロテクトが必要なデータの場合、そのデータの重要度に応じて、コピープロテクト方法を選ぶことが要望されている。
【０００８】
本発明は、上述した課題を解決する記録再生装置、記録再生方法およびコントローラを提供することを目的とする。
【課題を解決するための手段】
【０００９】
本発明の情報記録装置は、情報記録媒体に対して記録または再生を行う記録再生装置であって、前記情報記録媒体のデータ記録領域の所定の第１の位置から第１のデータを読み出す手段と、前記第１のデータが所定の第１のファイルシステムの種類を示す第１の種類情報に一致するか否かを判定する手段と、前記第１のデータが前記第１の種類情報に一致すると判定された場合には、前記所定の第１のファイルシステムを用いて、記録処理もしくは再生処理を行う手段と、前記第１のデータが前記第１の種類情報に一致しないと判定された場合には、前記データ記録領域の所定の第２の位置から第２のデータを読み出す手段と、前記第２のデータが前記所定の第１のファイルシステムとは異なる所定の第２のファイルシステムの種類を示す第２の種類情報に一致するか否かを判定する手段と、前記第２のデータが前記第２の種類情報に一致すると判定された場合には、前記所定の第２のファイルシステムを用いて、記録処理もしくは再生処理を行う手段とを備えている。
【００１０】
本発明の記録再生方法は、情報記録媒体に対して記録または再生を行う記録再生方法であって、前記情報記録媒体のデータ記録領域の所定の第１の位置から第１のデータを読み出すステップと、前記第１のデータが所定の第１のファイルシステムの種類を示す第１の種類情報に一致するか否かを判定するステップと、前記第１のデータが前記第１の種類情報に一致すると判定された場合には、前記所定の第１のファイルシステムを用いて、記録処理もしくは再生処理を行うステップと、前記第１のデータが前記第１の種類情報に一致しないと判定された場合には、前記データ記録領域の所定の第２の位置から第２のデータを読み出すステップと、前記第２のデータが前記所定の第１のファイルシステムとは異なる所定の第２のファイルシステムの種類を示す第２の種類情報に一致するか否かを判定するステップと、前記第２のデータが前記第２の種類情報に一致すると判定された場合には、前記所定の第２のファイルシステムを用いて、記録処理もしくは再生処理を行うステップとを包含する。
【００１１】
本発明のコントローラは、情報記録媒体に対して記録または再生を行う記録再生装置において用いられるコントローラであって、前記情報記録媒体のデータ記録領域の所定の第１の位置から第１のデータを読み出すことを指示する手段と、前記第１のデータが所定の第１のファイルシステムの種類を示す第１の種類情報に一致するか否かを判定する手段と、前記第１のデータが前記第１の種類情報に一致すると判定された場合には、前記所定の第１のファイルシステムを用いて、記録処理もしくは再生処理を行うことを指示する手段と、前記第１のデータが前記第１の種類情報に一致しないと判定された場合には、前記データ記録領域の所定の第２の位置から第２のデータを読み出すことを指示する手段と、前記第２のデータが前記所定の第１のファイルシステムとは異なる所定の第２のファイルシステムの種類を示す第２の種類情報に一致するか否かを判定する手段と、前記第２のデータが前記第２の種類情報に一致すると判定された場合には、前記所定の第２のファイルシステムを用いて、記録処理もしくは再生処理を行うことを指示する手段とを備えている。
【発明の効果】
【００１２】
本発明によれば、１つの光ディスクに適用されるファイルシステムが１つに固定されるため、１つの光ディスクを異なるドライブで使用した場合でも、データの互換性を保つことができる。
【００１３】
また、本発明によれば、１つの光ディスクに適用されるコピープロテクション方式が１つに固定されるため、１つの光ディスクを異なるドライブで使用した場合でも、データの互換性を保つことができる。
【図面の簡単な説明】
【００１４】
【図１】図１は、光ディスク１０１の構造の一例を示す図
【図２Ａ】図１に示される構造を有する光ディスク１０１の一例として、光ディスク２０１ａを示す図
【図２Ｂ】図１に示される構造を有する光ディスク１０１の他の例として、光ディスク２０１ｂを示す図
【図３】光ディスク装置１の構成の一例を示す図
【図４】光ディスク装置１の動作の一例を示すフローチャート
【図５】光ディスク装置１の動作の一例を示すフローチャート
【図６】光ディスク装置１の動作の一例を示すフローチャート
【図７】光ディスク装置１の動作の一例を示すフローチャート
【発明を実施するための形態】
【００１５】
以下、図面を参照しながら本発明の実施の形態を説明する。  
【００１６】
１．実施の形態１
１．１  光ディスクの構造
図１は、光ディスク１０１の構造の一例を示す。
【００１７】
光ディスク１０１には、複数のトラック１０２が同心円状に形成されている。あるいは、光ディスク１０１には、単一のトラック１０２がスパイラル状に形成されていてもよいし、複数のトラック１０２がスパイラル状に形成されていてもよい。
【００１８】
光ディスク１０１の領域は、リードイン領域１０３と、データ記録領域１０４と、リードアウト領域１０５とを含む。
【００１９】
リードイン領域１０３は、光ディスク１０１の最内周に配置されている。リードアウト領域１０５は、光ディスク１０１の最外周に配置されている。
【００２０】
リードイン領域１０３には、光ディスク１０１において使用されるファイルシステムの種類を示す種類情報１０３ａが記録されている。種類情報１０３ａは、例えば、トラック１０２のウォブル形状によって表現される。あるいは、種類情報１０３ａを光ディスク１０１上に形成されたエンボスピットによって表現してもよいし、光ディスク１０１上に形成されたエンボスピットのウォブル形状によって表現してもよい。あるいは、種類情報１０３ａを光ディスク１０１上に形成された記録マークによって表現してもよい。
【００２１】
リードアウト領域１０５には、種類情報１０３ａと同一の情報である種類情報１０５ａが記録されている。種類情報１０５ａの表現は、種類情報１０３ａの表現と同一である。種類情報１０５ａは、種類情報１０３ａのバックアップとして使用される。例えば、リードイン領域１０３から種類情報１０３ａを読み出そうとしたが、リードイン領域１０３内にある欠陥領域等の何らかの原因によりその読み出しに失敗した場合には、種類情報１０３ａの代わりに種類情報１０５ａがリードアウト領域１０５から読み出される。
【００２２】
図２Ａは、図１に示される構造を有する光ディスク１０１の一例として、光ディスク２０１ａを示す。光ディスク２０１ａには、例えば、光ディスク２０１ａにおいて使用されるファイルシステムがＢＤＦＳ（Ｂｌｕ−ｒａｙ  Ｄｉｓｋ  Ｆｉｌｅ  Ｓｙｓｔｅｍ）であることを示す種類情報２０２ａが記録されている。種類情報２０２ａは、例えば、ＢＤＦＳの識別子である。ＢＤＦＳの識別子は、例えば、”ＢＤＦＳ”という文字列によって表現される。ＢＤＦＳは、ＢＤレコーダ（Ｂｌｕ−ｒａｙ  Ｒｅｃｏｒｄｅｒ）において使用されているファイルシステムであり、ＡＶデータを記録または再生するために好適なファイルシステムである。ここで、ＡＶデータとは、ビデオデータおよびオーディオデータのうちの少なくとも一方を含むデータのことをいう。ＡＶデータは、１ファイルのサイズが大きく、映像が途切れることなくリアルタイムに再生されることが必須である。ＡＶデータは、「リアルタイムデータ」と呼ばれることもある。
【００２３】
図２Ｂは、図１に示される構造を有する光ディスク１０１の他の例として、光ディスク２０１ｂを示す。光ディスク２０１ｂには、例えば、光ディスク２０１ｂにおいて使用されるファイルシステムがＵＤＦ（Ｕｎｉｖｅｒｓａｌ  Ｄｉｓｋ  Ｆｏｒｍａｔ）であることを示す種類情報２０２ｂが記録されている。種類情報２０２ｂは、例えば、ＵＤＦの識別子である。ＵＤＦの識別子は、例えば、”ＵＤＦ”という文字列によって表現される。ＵＤＦは、コンピュータ（例えば、パーソナルコンピュータ（ＰＣ））において使用されているファイルシステムであり、ＡＶデータに加えてコンピュータデータを記録または再生するために好適なファイルシステムである。ここで、コンピュータデータとは、コンピュータによって処理可能なように２値化された任意のデータおよび／またはプログラムのことをいう。コンピュータデータは、１ファイルのサイズが小さく、信頼性が高いことが必須である。
【００２４】
なお、上述した実施の形態では、情報記録媒体の一例として、情報記録媒体が光ディスクである場合を説明した。しかし、本発明はこれに限定されない。光ディスクの代わりに、光ディスク以外の任意の情報記録媒体を使用するようにしてもよい。
【００２５】
１．２  光ディスク装置の構成
図３は、光ディスク装置１の構成の一例を示す。
【００２６】
光ディスク装置１は、ディスク検出装置４と、ドライブ装置１０と、コントローラ６と、メモリ８とを含む。
【００２７】
ディスク検出装置４は、光ディスク１０１が光ディスク装置１に装着されたことを検出し、検出信号をコントローラ６に出力する。
【００２８】
ドライブ装置１０は、光ディスク１０１をフォーマットし、もしくは、光ディスク１０１にデータを記録し、もしくは、光ディスク１０１に記録されたデータを再生する。
【００２９】
コントローラ６は、光ディスク装置１の全体の動作を制御する。例えば、コントローラ６は、光ディスク１０１をフォーマットするフォーマット処理を実行し、もしくは、光ディスク１０１にデータを記録する記録処理を実行し、もしくは、光ディスク１０１に記録されたデータを再生する再生処理を実行する。コントローラ６は、例えば、マイクロプロセッサによってインプリメントされ得る。マイクロプロセッサは、例えば、単一の半導体チップ上に形成され得る。
【００３０】
メモリ８には、コントローラ６にフォーマット処理を実行させるためのフォーマットプログラムや、コントローラ６に記録処理を実行させるための記録プログラムや、コントローラに再生処理を実行させるための再生プログラムや、それらのプログラムの実行に必要とされるデータなどが格納されている。
【００３１】
光ディスク装置１は、データ入力端子１２とデータ出力端子１４と制御端子１６とをさらに含む。
【００３２】
光ディスク１０１に記録されるべきデータは、光ディスク装置１の外部からデータ入力端子１２を介してコントローラ６に入力される。コントローラ６は、入力されたデータを光ディスク１０１に記録するようにドライブ装置１０を制御する。
【００３３】
また、光ディスク１０１から再生されたデータは、ドライブ装置１０を介してコントローラ６に出力される。コントローラ６は、ドライブ装置１０から出力されたデータをデータ出力端子１４を介して光ディスク装置１の外部に出力する。
【００３４】
制御端子１６は、光ディスク装置１の外部から命令を示す制御信号をコントローラ６に入力するために使用される。コントローラ６は、制御端子１６を介して光ディスク装置１の外部から入力された命令を受け取り、その命令に応じた処理を実行する。例えば、コントローラ６は、フォーマット命令を受け取った場合にはフォーマット処理を実行し、記録命令を受け取った場合には記録処理を実行し、再生命令を受け取った場合には再生処理を実行する。
【００３５】
１．３  光ディスク装置の動作
図４は、光ディスク装置１の動作の一例を示す。このような動作は、例えば、コントローラ６がメモリ８に格納されているプログラムを実行することによって達成される。
【００３６】
ステップＳ４１で、ディスク検出装置４は、光ディスク１０１が光ディスク装置１に装着されたことを検出し、検出信号をコントローラ６に出力する。コントローラ６は、その検出信号に応答して、光ディスク１０１のリードイン領域１０３から光ディスク１０１において使用されるファイルシステムの種類を示す種類情報１０３ａを読み出すようにドライブ装置１０に指示を出す。ここで、種類情報１０３ａが記録されている光ディスク１０１上の位置は、予め決められているものとする。例えば、種類情報１０３ａは、リードイン領域１０３の先頭からＬ番目の論理セクタに記録されている。ここで、Ｌは、１以上の任意の整数である。
【００３７】
ステップＳ４２で、ドライブ装置１０は、コントローラ６からの指示に従ってリードイン領域１０３にアクセスすることにより、リードイン領域１０３から種類情報１０３ａを読み出す。ドライブ装置１０によって読み出された種類情報１０３ａは、コントローラ６に出力される。
【００３８】
ステップＳ４３で、コントローラ６は、種類情報１０３ａによって示されているファイルシステムが所定の第１のファイルシステムであるか否かを判定する。所定の第１のファイルシステムは、例えば、ＢＤＦＳである。このような判定は、例えば、種類情報１０３ａによって示されるファイルシステムの識別子がその所定の第１のファイルシステム（例えば、ＢＤＦＳ）の識別子に一致するか否かを判定することによって行われる。その判定の結果が「ＹＥＳ」である場合には、コントローラ６は、その所定の第１のファイルシステムを用いて所定の処理（例えば、フォーマット処理もしくは記録処理もしくは再生処理）を行うようにドライブ装置１０に指示を出し、処理はステップＳ４４に進む。その判定の結果が「ＮＯ」である場合には、処理はステップＳ４５に進む。
【００３９】
ステップＳ４４で、ドライブ装置１０は、コントローラ６からの指示に従って、その所定の第１のファイルシステムを用いて所定の処理（例えば、フォーマット処理もしくは記録処理もしくは再生処理）を行う。
【００４０】
ステップＳ４５で、コントローラ６は、種類情報１０３ａによって示されているファイルシステムが所定の第１のファイルシステムとは異なる所定の第２のファイルシステムであるか否かを判定する。所定の第２のファイルシステムは、例えば、ＵＤＦである。このような判定は、例えば、種類情報１０３ａによって示されるファイルシステムの識別子がその所定の第２のファイルシステム（例えば、ＵＤＦ）の識別子に一致するか否かを判定することによって行われる。その判定の結果が「ＹＥＳ」である場合には、コントローラ６は、その所定の第２のファイルシステムを用いて所定の処理（例えば、フォーマット処理もしくは記録処理もしくは再生処理）を行うようにドライブ装置１０に指示を出し、処理はステップＳ４６に進む。その判定の結果が「ＮＯ」である場合には、コントローラ６は、デフォルトで設定されているファイルシステム（すなわち、デフォルト・ファイルシステム）を用いて所定の処理（例えば、フォーマット処理もしくは記録処理もしくは再生処理）を行うようにドライブ装置１０に指示を出し、処理はステップＳ４７に進む。
【００４１】
ステップＳ４６で、ドライブ装置１０は、コントローラ６からの指示に従って、その所定の第２のファイルシステムを用いて所定の処理（例えば、フォーマット処理もしくは記録処理もしくは再生処理）を行う。
【００４２】
ステップＳ４７で、ドライブ装置１０は、コントローラ６からの指示に従って、デフォルト・ファイルシステムを用いて所定の処理（例えば、フォーマット処理もしくは記録処理もしくは再生処理）を行う。
【００４３】
デフォルト・ファイルシステムは、例えば、光ディスク装置１によって主として取り扱われるデータの種類に応じて予め設定される。例えば、光ディスク装置１がＢＤレコーダである場合には、光ディスク装置１によって取り扱われるデータはほとんどがＡＶデータである。従って、この場合には、デフォルト・ファイルシステムは、ＡＶデータの処理に適したファイルシステム（例えば、ＢＤＦＳ）に設定される。例えば、光ディスク装置１がコンピュータ用ドライブである場合には、光ディスク装置１によって取り扱われるデータはほとんどがコンピュータデータである。従って、この場合には、デフォルト・ファイルシステムは、コンピュータデータの処理に適したファイルシステム（例えば、ＵＤＦ）に設定される。
【００４４】
このように、光ディスク１０１において使用されるファイルシステムの種類を示す種類情報１０３ａを光ディスク１０１のリードイン領域１０３に記録しておくことにより、光ディスク装置１は、その種類情報１０３ａに応じたファイルシステムを用いて所定の処理（例えば、フォーマット処理もしくは記録処理もしくは再生処理）を行うことができる。これにより、１つの光ディスクに適用されるファイルシステムが１つに固定されるため、１つの光ディスクを異なるドライブで使用した場合でも、データの互換性を保つことができる。
【００４５】
２．実施の形態２
２．１  光ディスクの構造
実施の形態２で使用される光ディスクは、実施の形態１で説明した図１に示される光ディスク１０１と同一である。従って、ここでは、その詳しい説明を省略する。
【００４６】
２．２  光ディスク装置の構成
実施の形態２で使用される光ディスク装置は、実施の形態１で説明した図３に示される光ディスク装置１と同一である。従って、ここでは、その詳しい説明を省略する。
【００４７】
２．３  光ディスク装置の動作
図５は、光ディスク装置１の動作の一例を示す。このような動作は、例えば、コントローラ６がメモリ８に格納されているプログラムを実行することによって達成される。
【００４８】
ステップＳ５１で、ディスク検出装置４は、光ディスク１０１が光ディスク装置１に装着されたことを検出し、検出信号をコントローラ６に出力する。コントローラ６は、その検出信号に応答して、光ディスク１０１のリードイン領域１０３から光ディスク１０１において使用されるファイルシステムの種類を示す種類情報１０３ａを読み出すようにドライブ装置１０に指示を出す。ここで、種類情報１０３ａが記録されている光ディスク１０１上の位置は、予め決められているものとする。例えば、種類情報１０３ａは、リードイン領域１０３の先頭からＬ番目の論理セクタに記録されている。ここで、Ｌは、１以上の任意の整数である。
【００４９】
ステップＳ５２で、ドライブ装置１０は、コントローラ６からの指示に従ってリードイン領域１０３にアクセスすることにより、リードイン領域１０３から種類情報１０３ａを読み出す。ドライブ装置１０によって読み出された種類情報１０３ａは、コントローラ６に出力される。
【００５０】
ステップＳ５３で、コントローラ６は、種類情報１０３ａによって示されているファイルシステムが所定の第１のファイルシステムであるか否かを判定する。所定の第１のファイルシステムは、例えば、ＢＤＦＳである。このような判定は、例えば、種類情報１０３ａによって示されるファイルシステムの識別子がその所定の第１のファイルシステム（例えば、ＢＤＦＳ）の識別子に一致するか否かを判定することによって行われる。その判定の結果が「ＹＥＳ」である場合には、処理はステップＳ５４に進む。その判定の結果が「ＮＯ」である場合には、処理はステップＳ５５に進む。
【００５１】
ステップＳ５４で、所定の第１のコピープロテクション方式に従って記録処理もしくは再生処理が行われる。所定の第１のコピープロテクション方式は、例えば、ＤＥＳ暗号（ＤＡＴＡ  ＥＮＣＲＹＰＴＩＯＮ  ＳＴＡＮＤＡＲＤ；  Ｆｅｄｅｒａｌ  Ｉｎｆｏｒｍａｔｉｏｎ  Ｐｒｏｃｅｓｓｉｎｇ  Ｓｔａｎｄａｒｄｓ  Ｐｕｂｌｉｃａｔｉｏｎ  ４６−３）を用いた方式である。
【００５２】
記録処理は以下のようにして行われる。コントローラ６は、その所定の第１のコピープロテクション方式に従って記録されるべきデータを暗号化し、その暗号化データをデータ記録領域１０４に記録するようにドライブ装置１０に指示を出す。ドライブ装置１０は、コントローラ６からの指示に従ってその暗号化データをデータ記録領域１０４に記録する。
【００５３】
再生処理は以下のようにして行われる。コントローラ６は、データ記録領域１０４から暗号化データを読み出すようにドライブ装置１０に指示を出す。ドライブ装置１０は、コントローラ６からの指示に従ってデータ記録領域１０４から暗号化データを読み出す。ドライブ装置１０によって読み出された暗号化データは、コントローラ６に出力される。コントローラ６は、その所定の第１のコピープロテクション方式に従ってその暗号化データを復号化する。
【００５４】
ステップＳ５５で、コントローラ６は、種類情報１０３ａによって示されているファイルシステムが所定の第１のファイルシステムとは異なる所定の第２のファイルシステムであるか否かを判定する。所定の第２のファイルシステムは、例えば、ＵＤＦである。このような判定は、例えば、種類情報１０３ａによって示されるファイルシステムの識別子がその所定の第２のファイルシステム（例えば、ＵＤＦ）の識別子に一致するか否かを判定することによって行われる。その判定の結果が「ＹＥＳ」である場合には、処理はステップＳ５６に進む。その判定の結果が「ＮＯ」である場合には、処理はステップＳ５７に進む。
【００５５】
ステップＳ５６で、所定の第２のコピープロテクション方式に従って記録処理もしくは再生処理が行われる。所定の第２のコピープロテクション方式は、例えば、ＡＥＳ暗号（ＡＤＶＡＮＣＥＤ  ＥＮＣＲＹＰＴＩＯＮ  ＳＴＡＮＤＡＲＤ；  Ｆｅｄｅｒａｌ  Ｉｎｆｏｒｍａｔｉｏｎ  Ｐｒｏｃｅｓｓｉｎｇ  Ｓｔａｎｄａｒｄｓ  Ｐｕｂｌｉｃａｔｉｏｎ  １９７）を用いた方式である。ＡＥＳ暗号は、ＤＥＳ暗号より解読されにくい暗号である。
【００５６】
記録処理は以下のようにして行われる。コントローラ６は、その所定の第２のコピープロテクション方式に従って記録されるべきデータを暗号化し、その暗号化データをデータ記録領域１０４に記録するようにドライブ装置１０に指示を出す。ドライブ装置１０は、コントローラ６からの指示に従ってその暗号化データをデータ記録領域１０４に記録する。
【００５７】
再生処理は以下のようにして行われる。コントローラ６は、データ記録領域１０４から暗号化データを読み出すようにドライブ装置１０に指示を出す。ドライブ装置１０は、コントローラ６からの指示に従ってデータ記録領域１０４から暗号化データを読み出す。ドライブ装置１０によって読み出された暗号化データは、コントローラ６に出力される。コントローラ６は、その所定の第２のコピープロテクション方式に従ってその暗号化データを復号化する。
【００５８】
ステップＳ５７で、デフォルト・ファイルシステムに対応するデフォルト・コピープロテクション方式に従って記録処理もしくは再生処理が行われる。
【００５９】
デフォルト・コピープロテクション方式は、デフォルト・ファイルシステムに応じて予め設定される。例えば、デフォルト・ファイルシステムがＡＶデータの処理に適したファイルシステム（例えば、ＢＤＦＳ）である場合には、デフォルト・コピープロテクション方式は、ＡＶデータの処理に適したコピープロテクション方式（例えば、ＤＥＳ暗号を用いた方式）に設定される。例えば、デフォルト・ファイルシステムがコンピュータデータの処理に適したファイルシステム（例えば、ＵＤＦ）である場合には、デフォルト・コピープロテクション方式は、ＡＶデータの処理に適したコピープロテクション方式（例えば、ＡＥＳ暗号を用いた方式）に設定される。
【００６０】
このように、光ディスク１０１において使用されるファイルシステムの種類を示す種類情報１０３ａを光ディスク１０１のリードイン領域１０３に記録しておくことにより、光ディスク装置１は、その種類情報１０３ａに応じたファイルシステムに対応するコピープロテクション方式に従って所定の処理（例えば、記録処理もしくは再生処理）を行うことができる。これにより、１つの光ディスクに適用されるコピープロテクション方式が１つに固定されるため、１つの光ディスクを異なるドライブで使用した場合でも、データの互換性を保つことができる。
【００６１】
３．実施の形態３
３．１  光ディスクの構造
実施の形態３で使用される光ディスクは、基本的には、実施の形態１で説明した図１に示される光ディスク１０１と同一である。しかし、実施の形態３では、種類情報１０３ａがリードイン領域１０３に記録されていることは必須ではなく、種類情報１０５ａがリードアウト領域１０５に記録されていることも必須ではない。
【００６２】
実施の形態３では、光ディスク１０１のデータ記録領域１０４には、所定のファイルシステムを用いてデータが既に記録されているが、その所定のファイルシステムの種類を示す種類情報は、リードイン領域１０３にもリードアウト領域１０５にも記録されていない。
【００６３】
その所定のファイルシステムの種類を示す種類情報はデータ記録領域１０４内に記録されており、その記録位置は、光ディスク１０１において既に使用されているファイルシステムに依存して予め決められている。例えば、第１の所定のファイルシステム（例えば、ＢＤＦＳ）を用いてデータがデータ記録領域１０４に既に記録されている場合には、データ記録領域１０４の所定の第１の位置（例えば、データ記録領域１０４の先頭からＭ番目の論理セクタ）に所定の第１のファイルシステムの種類を示す第１の種類情報が記録されることが予め決められており、第１の所定のファイルシステムとは異なる第２の所定のファイルシステム（例えば、ＵＤＦ）を用いてデータがデータ記録領域１０４に既に記録されている場合には、データ記録領域１０４の所定の第２の位置（例えば、データ記録領域１０４の先頭からＮ番目の論理セクタ）に所定の第２のファイルシステムの種類を示す第２の種類情報が記録されることが予め決められているものとする。ここで、Ｍ、Ｎは、１以上の任意の整数である。所定の第１の位置と所定の第２の位置とは、同一であってもよいし、異なっていてもよい（例えば、Ｍ＝Ｎであってもよいし、Ｍ≠Ｎであってもよい）。
【００６４】
第１の種類情報は、例えば、ＢＤＦＳの識別子である。ＢＤＦＳの識別子は、例えば、”ＢＤＦＳ”という文字列によって表現される。第２の種類情報は、例えば、ＵＤＦの識別子である。ＵＤＦの識別子は、例えば、”ＵＤＦ”という文字列によって表現される。
【００６５】
３．２  光ディスク装置の構成
実施の形態３で使用される光ディスク装置は、実施の形態１で説明した図３に示される光ディスク装置１と同一である。従って、ここでは、その詳しい説明を省略する。
【００６６】
３．３  光ディスク装置の動作
図６は、光ディスク装置１の動作の一例を示す。このような動作は、例えば、コントローラ６がメモリ８に格納されているプログラムを実行することによって達成される。
【００６７】
ステップＳ６１で、ディスク検出装置４は、光ディスク１０１が光ディスク装置１に装着されたことを検出し、検出信号をコントローラ６に出力する。コントローラ６は、その検出信号に応答して、「光ディスク１０１において使用されているファイルシステムが所定の第１のファイルシステムである」と仮定して、その仮定の下に、データ記録領域１０４における所定の第１の位置からデータを読み出すようにドライブ装置１０に指示を出す。ここで、その所定の第１の位置は、光ディスク１０１において実際に使用されているファイルシステムが所定の第１のファイルシステムである場合には、所定の第１のファイルシステムの種類を示す第１の種類情報が記録されているべき位置である。
【００６８】
ステップＳ６２で、ドライブ装置１０は、コントローラ６からの指示に従ってデータ記録領域１０４にアクセスすることにより、データ記録領域１０４における所定の第１の位置からデータを読み出す。ドライブ装置１０によって読み出されたデータは、コントローラ６に出力される。
【００６９】
ステップＳ６３で、コントローラ６は、ドライブ装置１０から出力されたデータが所定の第１のファイルシステムの種類を示す第１の種類情報に一致するか否かを判定する。所定の第１のファイルシステムは、例えば、ＢＤＦＳである。このような判定は、例えば、ドライブ装置１０から出力されたデータがその所定の第１のファイルシステム（例えば、ＢＤＦＳ）の識別子に一致するか否かを判定することによって行われる。その判定の結果が「ＹＥＳ」である場合には、コントローラ６は、その所定の第１のファイルシステムを用いて所定の処理（例えば、フォーマット処理もしくは記録処理もしくは再生処理）を行うようにドライブ装置１０に指示を出し、処理はステップＳ６４に進む。その判定の結果が「ＮＯ」である場合には、「光ディスク１０１において使用されているファイルシステムが所定の第１のファイルシステムである」という仮定が誤っていたことになる。この場合には、コントローラ６は、「光ディスク１０１において使用されているファイルシステムが所定の第２のファイルシステムである」と仮定し直して、その仮定の下に、データ記録領域１０４における所定の第２の位置からデータを読み出すようにドライブ装置１０に指示を出す。ここで、その所定の第２の位置は、光ディスク１０１において実際に使用されているファイルシステムが所定の第２のファイルシステムである場合には、所定の第２のファイルシステムの種類を示す第２の種類情報が記録されているべき位置である。その後、処理はステップＳ６５に進む。
【００７０】
ステップＳ６４で、ドライブ装置１０は、コントローラ６からの指示に従って、その所定の第１のファイルシステムを用いて所定の処理（例えば、フォーマット処理もしくは記録処理もしくは再生処理）を行う。
【００７１】
ステップＳ６５で、コントローラ６は、ドライブ装置１０から出力されたデータが所定の第２のファイルシステムの種類を示す第２の種類情報に一致するか否かを判定する。所定の第２のファイルシステムは、例えば、ＵＤＦである。このような判定は、例えば、ドライブ装置１０から出力されたデータがその所定の第２のファイルシステム（例えば、ＵＤＦ）の識別子に一致するか否かを判定することによって行われる。その判定の結果が「ＹＥＳ」である場合には、コントローラ６は、その所定の第２のファイルシステムを用いて所定の処理（例えば、フォーマット処理もしくは記録処理もしくは再生処理）を行うようにドライブ装置１０に指示を出し、処理はステップＳ６６に進む。その判定の結果が「ＮＯ」である場合には、「光ディスク１０１において使用されているファイルシステムが所定の第２のファイルシステムである」という仮定が誤っていたことになる。この場合には、コントローラ６は、光ディスク１０１において使用されているファイルシステムを認識することができないため、光ディスク１０１を光ディスク装置１から排出するようにローディングメカニズム（図示せず）に指示する。その後、処理は、処理はステップＳ６７に進む。
【００７２】
ステップＳ６６で、ドライブ装置１０は、コントローラ６からの指示に従って、その所定の第２のファイルシステムを用いて所定の処理（例えば、フォーマット処理もしくは記録処理もしくは再生処理）を行う。
【００７３】
ステップＳ６７で、光ディスク１０１が光ディスク装置１から排出される。
【００７４】
このように、光ディスク１０１のデータ記録領域１０４に記録されているデータからそのデータを記録するために使用されたファイルシステムの種類を特定し、その特定された種類のファイルシステムと同一のファイルシステムを用いて所定の処理（例えば、フォーマット処理もしくは記録処理もしくは再生処理）を行うことができる。これにより、１つの光ディスクに適用されるファイルシステムが１つに固定されるため、１つの光ディスクを異なるドライブで使用した場合でも、データの互換性を保つことができる。
【００７５】
４．実施の形態４
４．１  光ディスクの構造
実施の形態４で使用される光ディスクは、実施の形態３で説明した光ディスク１０１と同一である。従って、ここでは、その詳しい説明を省略する。
【００７６】
さらに、光ディスク１０１のデータ記録領域１０４に既に記録されているデータは、所定のコピープロテクション方式に従って処理されている。
【００７７】
４．２  光ディスク装置の構成
実施の形態４で使用される光ディスク装置は、実施の形態１で説明した図３に示される光ディスク装置１と同一である。従って、ここでは、その詳しい説明を省略する。
【００７８】
４．３  光ディスク装置の動作
図７は、光ディスク装置１の動作の一例を示す。このような動作は、例えば、コントローラ６がメモリ８に格納されているプログラムを実行することによって達成される。
【００７９】
ステップＳ７１で、ディスク検出装置４は、光ディスク１０１が光ディスク装置１に装着されたことを検出し、検出信号をコントローラ６に出力する。コントローラ６は、その検出信号に応答して、データ記録領域１０４からデータを読み出すようにドライブ装置１０に指示を出す。
【００８０】
ステップＳ７２で、ドライブ装置１０は、コントローラ６からの指示に従ってデータ記録領域１０４にアクセスすることにより、データ記録領域１０４からデータを読み出す。ドライブ装置１０によって読み出されたデータは、コントローラ６に出力される。
【００８１】
ステップＳ７３で、コントローラ６は、ドライブ装置１０から出力されたデータが所定の第１のコピープロテクション方式に従って暗号化されているデータであるか否かを判定する。所定の第１のコピープロテクション方式は、例えば、ＤＥＳ暗号を用いた方式である。このような判定は、例えば、ドライブ装置１０から出力されたデータ（暗号化データ）をＤＥＳ暗号を用いた方式に従って正しく復号化することができるか否かを判定することによって行われる。このような暗号化データの復号化は、例えば、コントローラ６に内蔵されている光ディスク装置１に固有のキー（例えば、光ディスク装置１の識別番号）と光ディスク１０１のリードイン領域１０３に記録されている光ディスク１０１に固有のキー（例えば、光ディスク１０１の識別番号）とを復号化キーとして用いて行われる。例えば、復号化されたデータの中に、所定の第１のファイルシステムの識別子（例えば、”ＢＤＦＳ”という文字列）もしくは所定の第２のファイルシステムの識別子（例えば、”ＵＤＦ”という文字列）が含まれていた場合には、暗号化データをＤＥＳ暗号を用いた方式に従って正しく復号化することができたと判定される。その判定の結果が「ＹＥＳ」である場合には、処理はステップＳ７４に進む。その判定の結果が「ＮＯ」である場合には、処理はステップＳ７５に進む。
【００８２】
ステップＳ７４で、所定の第１のコピープロテクション方式に従って記録処理もしくは再生処理が行われる。
【００８３】
記録処理は以下のようにして行われる。コントローラ６は、その所定の第１のコピープロテクション方式に従って記録されるべきデータを暗号化し、その暗号化データをデータ記録領域１０４に記録するようにドライブ装置１０に指示を出す。ドライブ装置１０は、コントローラ６からの指示に従ってその暗号化データをデータ記録領域１０４に記録する。
【００８４】
再生処理は以下のようにして行われる。コントローラ６は、データ記録領域１０４から暗号化データを読み出すようにドライブ装置１０に指示を出す。ドライブ装置１０は、コントローラ６からの指示に従ってデータ記録領域１０４から暗号化データを読み出す。ドライブ装置１０によって読み出された暗号化データは、コントローラ６に出力される。コントローラ６は、その所定の第１のコピープロテクション方式に従ってその暗号化データを復号化する。
【００８５】
ステップＳ７５で、コントローラ６は、ドライブ装置１０から出力されたデータが所定の第２のコピープロテクション方式に従って暗号化されているデータであるか否かを判定する。所定の第２のコピープロテクション方式は、例えば、ＡＥＳ暗号を用いた方式である。このような判定は、例えば、ドライブ装置１０から出力されたデータ（暗号化データ）をＡＥＳ暗号を用いた方式に従って正しく復号化することができるか否かを判定することによって行われる。このような暗号化データの復号化は、例えば、コントローラ６に内蔵されている光ディスク装置１に固有のキー（例えば、光ディスク装置１の識別番号）と光ディスク１０１のリードイン領域１０３に記録されている光ディスク１０１に固有のキー（例えば、光ディスク１０１の識別番号）とを復号化キーとして用いて行われる。例えば、復号化されたデータの中に、所定の第１のファイルシステムの識別子（例えば、”ＢＤＦＳ”という文字列）もしくは所定の第２のファイルシステムの識別子（例えば、”ＵＤＦ”という文字列）が含まれていた場合には、暗号化データをＡＥＳ暗号を用いた方式に従って正しく復号化することができたと判定される。その判定の結果が「ＹＥＳ」である場合には、処理はステップＳ７６に進む。その判定の結果が「ＮＯ」である場合には、コントローラ６は、ドライブ装置１０から出力されたデータがどのような暗号化データかを認識することができないため、光ディスク１０１を光ディスク装置１から排出するようにローディングメカニズム（図示せず）に指示する。その後、処理はステップＳ７７に進む。
【００８６】
ステップＳ７６で、所定の第２のコピープロテクション方式に従って記録処理もしくは再生処理が行われる。
【００８７】
記録処理は以下のようにして行われる。コントローラ６は、その所定の第２のコピープロテクション方式に従って記録されるべきデータを暗号化し、その暗号化データをデータ記録領域１０４に記録するようにドライブ装置１０に指示を出す。ドライブ装置１０は、コントローラ６からの指示に従ってその暗号化データをデータ記録領域１０４に記録する。
【００８８】
再生処理は以下のようにして行われる。コントローラ６は、データ記録領域１０４から暗号化データを読み出すようにドライブ装置１０に指示を出す。ドライブ装置１０は、コントローラ６からの指示に従ってデータ記録領域１０４から暗号化データを読み出す。ドライブ装置１０によって読み出された暗号化データは、コントローラ６に出力される。コントローラ６は、その所定の第２のコピープロテクション方式に従ってその暗号化データを復号化する。
【００８９】
ステップＳ７７で、光ディスク１０１が光ディスク装置１から排出される。
【００９０】
このように、光ディスク１０１のデータ記録領域１０４に記録されているデータからそのデータを記録するために使用されたコピープロテクション方式の種類を特定し、その特定された種類のコピープロテクション方式と同一のコピープロテクション方式に従って所定の処理（例えば、記録処理もしくは再生処理）を行うことができる。これにより、１つの光ディスクに適用されるコピープロテクション方式が１つに固定されるため、１つの光ディスクを異なるドライブで使用した場合でも、データの互換性を保つことができる。
【００９１】
上述した実施の形態１〜４では、種類情報として、光ディスク１０１において使用されるファイルシステムの種類を示す情報を扱う例を説明した。種類情報として、光ディスク１０１がＡＶデータ記録用ディスクであるかコンピュータデータ記録用ディスクであるかを示す情報を扱うようにしてもよい。あるいは、種類情報として、光ディスク１０１が民生用ディスクであるか業務用ディスクであるかを示す情報を扱うようにしてもよい。これらの場合でも、その種類情報に応じた最適なファイルシステムを選択することができという効果が得られる。また、その種類情報に応じた最適なコピープロテクション方式を選択することができるという効果も得られる。
【００９２】
なお、以下の記録再生装置、記録再生方法およびコントローラもまた、本発明の範囲内である。これらは、実施の形態１、２に対応する。
【００９３】
Ａ１．情報記録媒体に対して記録または再生を行う記録再生装置であって、
前記情報記録媒体のリードイン領域には、前記情報記録媒体において使用されるファイルシステムの種類を示す種類情報が記録されており、
前記記録再生装置は、
前記情報記録媒体の前記リードイン領域から前記種類情報を読み出す手段と、
前記種類情報に応じたファイルシステムを用いて、記録処理もしくは再生処理を行う手段と
を備えた、記録再生装置。
【００９４】
Ａ２．前記種類情報に応じたファイルシステムを用いて、前記情報記録媒体をフォーマットする手段をさらに備えた、請求項Ａ１に記載の記録再生装置。
【００９５】
Ａ３．前記ファイルシステムに対応するコピープロテクション方式に従って、前記情報記録媒体に記録されるべきデータを暗号化し、もしくは、前記情報記録媒体に記録されている暗号化データを復号化する手段をさらに備えた、請求項Ａ１に記載の記録再生装置。
【００９６】
Ａ４．情報記録媒体に対して記録または再生を行う記録再生方法であって、
前記情報記録媒体のリードイン領域には、前記情報記録媒体において使用されるファイルシステムの種類を示す種類情報が記録されており、
前記記録再生方法は、
前記情報記録媒体の前記リードイン領域から前記種類情報を読み出すステップと、
前記種類情報に応じたファイルシステムを用いて、記録処理もしくは再生処理を行うステップと
を包含する、記録再生方法。
【００９７】
Ａ５．前記種類情報に応じたファイルシステムを用いて、前記情報記録媒体をフォーマットするステップをさらに包含する、請求項Ａ５に記載の記録再生方法。
【００９８】
Ａ６．前記ファイルシステムに対応するコピープロテクション方式に従って、前記情報記録媒体に記録されるべきデータを暗号化し、もしくは、前記情報記録媒体に記録されている暗号化データを復号化するステップをさらに包含する、請求項Ａ４に記載の記録再生方法。
【００９９】
Ａ７．情報記録媒体に対して記録または再生を行う記録再生装置において用いられるコントローラであって、
前記情報記録媒体のリードイン領域には、前記情報記録媒体において使用されるファイルシステムの種類を示す種類情報が記録されており、
前記コントローラは、
前記情報記録媒体の前記リードイン領域から前記種類情報を読み出すことを指示する手段と、
前記種類情報に応じたファイルシステムを用いて、記録処理もしくは再生処理を行うことを指示する手段と
を備えた、コントローラ。
【０１００】
Ａ８．前記種類情報に応じたファイルシステムを用いて、前記情報記録媒体をフォーマットすることを指示する手段をさらに備えた、請求項Ａ７に記載のコントローラ。
【０１０１】
Ａ９．前記ファイルシステムに対応するコピープロテクション方式に従って、前記情報記録媒体に記録されるべきデータを暗号化し、もしくは、前記情報記録媒体に記録されている暗号化データを復号化する手段をさらに備えた、請求項Ａ７に記載のコントローラ。
【０１０２】
さらに、以下の記録再生装置、記録再生方法およびコントローラもまた、本発明の範囲内である。これらは、実施の形態３に対応する。
【０１０３】
Ｂ１．情報記録媒体に対して記録または再生を行う記録再生装置であって、
前記情報記録媒体のデータ記録領域の所定の第１の位置から第１のデータを読み出す手段と、
前記第１のデータが所定の第１のファイルシステムの種類を示す第１の種類情報に一致するか否かを判定する手段と、
前記第１のデータが前記第１の種類情報に一致すると判定された場合には、前記所定の第１のファイルシステムを用いて、記録処理もしくは再生処理を行う手段と、
前記第１のデータが前記第１の種類情報に一致しないと判定された場合には、前記データ記録領域の所定の第２の位置から第２のデータを読み出す手段と、
前記第２のデータが前記所定の第１のファイルシステムとは異なる所定の第２のファイルシステムの種類を示す第２の種類情報に一致するか否かを判定する手段と、
前記第２のデータが前記第２の種類情報に一致すると判定された場合には、前記所定の第２のファイルシステムを用いて、記録処理もしくは再生処理を行う手段と
を備えた、記録再生装置。
【０１０４】
Ｂ２．情報記録媒体に対して記録または再生を行う記録再生方法であって、
前記情報記録媒体のデータ記録領域の所定の第１の位置から第１のデータを読み出すステップと、
前記第１のデータが所定の第１のファイルシステムの種類を示す第１の種類情報に一致するか否かを判定するステップと、
前記第１のデータが前記第１の種類情報に一致すると判定された場合には、前記所定の第１のファイルシステムを用いて、記録処理もしくは再生処理を行うステップと、
前記第１のデータが前記第１の種類情報に一致しないと判定された場合には、前記データ記録領域の所定の第２の位置から第２のデータを読み出すステップと、
前記第２のデータが前記所定の第１のファイルシステムとは異なる所定の第２のファイルシステムの種類を示す第２の種類情報に一致するか否かを判定するステップと、
前記第２のデータが前記第２の種類情報に一致すると判定された場合には、前記所定の第２のファイルシステムを用いて、記録処理もしくは再生処理を行うステップと
を包含する、記録再生方法。
【０１０５】
Ｂ３．情報記録媒体に対して記録または再生を行う記録再生装置において用いられるコントローラであって、
前記情報記録媒体のデータ記録領域の所定の第１の位置から第１のデータを読み出すことを指示する手段と、
前記第１のデータが所定の第１のファイルシステムの種類を示す第１の種類情報に一致するか否かを判定する手段と、
前記第１のデータが前記第１の種類情報に一致すると判定された場合には、前記所定の第１のファイルシステムを用いて、記録処理もしくは再生処理を行うことを指示する手段と、
前記第１のデータが前記第１の種類情報に一致しないと判定された場合には、前記データ記録領域の所定の第２の位置から第２のデータを読み出すことを指示する手段と、
前記第２のデータが前記所定の第１のファイルシステムとは異なる所定の第２のファイルシステムの種類を示す第２の種類情報に一致するか否かを判定する手段と、
前記第２のデータが前記第２の種類情報に一致すると判定された場合には、前記所定の第２のファイルシステムを用いて、記録処理もしくは再生処理を行うことを指示する手段と
を備えた、コントローラ。
【０１０６】
さらに、以下の記録再生装置、記録再生方法およびコントローラもまた、本発明の範囲内である。これらは、実施の形態４に対応する。
【０１０７】
Ｃ１．情報記録媒体に対して記録または再生を行う記録再生装置であって、
前記情報記録媒体のデータ記録領域に記録されている暗号化データが所定の第１のコピープロテクション方式に従って暗号化されているか否かを判定する手段と、
前記暗号化データが前記所定の第１のコピープロテクション方式に従って暗号化されていると判定された場合には、前記所定の第１のコピープロテクション方式に従って、記録処理もしくは再生処理を行う手段と、
前記暗号化データが前記所定の第１のコピープロテクション方式に従って暗号化されていないと判定された場合には、前記暗号化データが前記所定の第１のコピープロテクション方式とは異なる所定の第２のコピープロテクション方式に従って暗号化されているか否かを判定する手段と、
前記暗号化データが前記所定の第２のコピープロテクション方式に従って暗号化されていると判定された場合には、前記所定の第２のコピープロテクション方式に従って、記録処理もしくは再生処理を行う手段と
を備えた、記録再生装置。
【０１０８】
Ｃ２．情報記録媒体に対して記録または再生を行う記録再生方法であって、
前記情報記録媒体のデータ記録領域に記録されている暗号化データが所定の第１のコピープロテクション方式に従って暗号化されているか否かを判定するステップと、
前記暗号化データが前記所定の第１のコピープロテクション方式に従って暗号化されていると判定された場合には、前記所定の第１のコピープロテクション方式に従って、記録処理もしくは再生処理を行うステップと、
前記暗号化データが前記所定の第１のコピープロテクション方式に従って暗号化されていないと判定された場合には、前記暗号化データが前記所定の第１のコピープロテクション方式とは異なる所定の第２のコピープロテクション方式に従って暗号化されているか否かを判定するステップと、
前記暗号化データが前記所定の第２のコピープロテクション方式に従って暗号化されていると判定された場合には、前記所定の第２のコピープロテクション方式に従って、記録処理もしくは再生処理を行うステップと
を包含する、記録再生方法。
【０１０９】
Ｃ３．情報記録媒体に対して記録または再生を行う記録再生装置において用いられるコントローラであって、
前記情報記録媒体のデータ記録領域に記録されている暗号化データが所定の第１のコピープロテクション方式に従って暗号化されているか否かを判定する手段と、
前記暗号化データが前記所定の第１のコピープロテクション方式に従って暗号化されていると判定された場合には、前記所定の第１のコピープロテクション方式に従って、記録処理もしくは再生処理を行うことを指示する手段と、
前記暗号化データが前記所定の第１のコピープロテクション方式に従って暗号化されていないと判定された場合には、前記暗号化データが前記所定の第１のコピープロテクション方式とは異なる所定の第２のコピープロテクション方式に従って暗号化されているか否かを判定する手段と、
前記暗号化データが前記所定の第２のコピープロテクション方式に従って暗号化されていると判定された場合には、前記所定の第２のコピープロテクション方式に従って、記録処理もしくは再生処理を行うことを指示する手段と
を備えた、コントローラ。
【０１１０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【０１１１】
本発明は、１つの光ディスクを異なるドライブで使用した場合でも、データの互換性を保つことができる記録再生装置、記録再生方法およびコントローラ等として有用である。
【符号の説明】
【０１１２】
１  光ディスク装置
４  ディスク検出装置
６  コントローラ
８  メモリ
１０  ドライブ装置
１２  データ入力端子
１４  データ出力端子
１６  制御端子
１０１  光ディスク
１０２  トラック
１０３  リードイン領域
１０３ａ  種類情報
１０４  データ記録領域
１０５  リードアウト領域
１０５ａ  種類情報
２０１ａ  光ディスク
２０１ｂ  光ディスク
２０２ａ  種類情報
２０２ｂ  種類情報
【図１】
2010186536.tif 000003
【図２Ａ】
2010186536.tif 000004
【図２Ｂ】
2010186536.tif 000005
【図３】
2010186536.tif 000006
【図４】
2010186536.tif 000007
【図５】
2010186536.tif 000008
【図６】
2010186536.tif 000009
【図７】
2010186536.tif 000010